(57)【要約】【課題】プリント受付装置を用いてのプリントの注文を簡易に行うことができるようにする。【解決手段】プリント受付装置１に、各種目メディアおよびメディアを内包したデジタルカメラを装填するスロット３Ａ〜３Ｆを設ける。スロット３Ａ〜３Ｆのうち、デジタルカメラ用のスロット３Ａに第１の位置において通常のプリントを行い、第２の位置において所定のプリント条件に従ったプリントを行うように切り替える切り替えスイッチ４を設ける。切り替えスイッチ４が第２の位置にある状態でデジタルカメラがスロット３Ａに装填されると、所定のプリント条件に従ってプリント処理を実行する。切り替えスイッチ４が第１の位置にある状態では、ユーザによるプリントする画像、プリント枚数およびプリントサイズの指定を受け付ける通常のプリント処理を実行する。【選択図】図１
2010228457.tif 000002
【特許請求の範囲】
【請求項１】
プリント注文のための各種表示を行う表示手段と、
前記プリント注文のための各種入力を行う入力手段と、
画像が記録された各種メディアおよび該画像が記録されたメディアを内包する、所定のインターフェースを有するデジタルカメラを含む機器を装填するための複数種類のスロットと、
前記複数種類のスロットのうちの前記所定のインターフェースに対応するインターフェースを備えてなる特定のスロットに前記デジタルカメラが装填された場合、所定のプリント条件に従って前記デジタルカメラに内包されたメディアに記録された前記画像のプリント処理を実行するか、該所定のプリント条件とは異なるプリント条件に従って前記デジタルカメラに内包されたメディアに記録された前記画像のプリント処理を実行するかを切り替える切り替え手段と、
前記特定のスロットに前記デジタルカメラが装填された場合、前記切り替え手段により切り替えられたプリント条件に従って、前記デジタルカメラに内包されたメディアに記録された前記画像のプリント処理を実行し、前記所定のプリント条件による前記プリント処理が実行された場合、該プリント処理の実行後、前記デジタルカメラに内包されたメディアから前記画像を消去するプリント制御手段と、
前記消去した画像を保存する保存手段とを備えたことを特徴とするプリント受付装置。
【請求項２】
前記消去した画像を光学的に記録を行う光学メディアに記録する画像記録手段をさらに備えたことを特徴とする請求項１記載のプリント受付装置。
【請求項３】
プリント注文のための各種表示を行う表示手段と、
前記プリント注文のための各種入力を行う入力手段と、
画像が記録された各種メディアおよび該画像が記録されたメディアを内包する、所定のインターフェースを有するデジタルカメラを含む機器を装填するための複数種類のスロットと、
前記複数種類のスロットのうちの前記所定のインターフェースに対応するインターフェースを備えてなる特定のスロットに前記デジタルカメラが装填された場合、所定のプリント条件に従って前記デジタルカメラに内包されたメディアに記録された前記画像のプリント処理を実行するか、該所定のプリント条件とは異なるプリント条件に従って前記デジタルカメラに内包されたメディアに記録された前記画像のプリント処理を実行するかを切り替える切り替え手段と、
前記特定のスロットに前記デジタルカメラが装填された場合、前記切り替え手段により切り替えられたプリント条件に従って、前記デジタルカメラに内包されたメディアに記録された前記画像のプリント処理を実行し、前記所定のプリント条件による前記プリント処理が実行された場合、該プリント処理の実行後、前記デジタルカメラに内包されたメディアから前記画像を消去するプリント制御手段と、
前記消去した画像を光学的に記録を行う光学メディアに記録する画像記録手段とを備えたことを特徴とするプリント受付装置。
【請求項４】
前記画像記録手段は、前記画像の前記光学メディアへの記録の可否を受け付ける画面を前記表示手段に表示し、前記画像を前記光学メディアに記録する指示が前記入力手段より入力された場合に、前記画像を前記光学メディアに記録する手段であることを特徴とする請求項２または３記載のプリント受付装置。
【請求項５】
前記光学メディアの盤面に光学的に読み取り可能なプリント注文用のマーク部を有するインデックス画像を記録する手段をさらに備え、
前記複数種類のスロットのうちの一つが前記光学メディア用のスロットであり、
該光学メディア用のスロットに前記インデックス画像のマーク部を読み取る読取手段をさらに備え、
前記プリント制御手段は、読み取った前記マーク部の情報に従って前記プリント処理を実行する手段であることを特徴とする請求項２から４のいずれか１項記載のプリント受付装置。
【請求項６】
前記プリント制御手段は、前記所定のプリント条件に従って前記プリント処理の実行の可否を受け付ける画面を前記表示手段に表示し、前記プリント処理を実行する指示が前記入力手段より入力された場合に、前記プリント処理を実行する手段であることを特徴とする請求項１から５のいずれか１項記載のプリント受付装置。
【請求項７】
前記プリント制御手段は、前記画像の消去の可否を受け付ける画面を前記表示手段に表示し、前記画像を消去する指示が前記入力手段より入力された場合に、前記画像を消去する手段であることを特徴とする請求項１から６のいずれか１項記載のプリント受付装置。
【請求項８】
プリント注文のための各種表示を行う表示手段と、
前記プリント注文のための各種入力を行う入力手段と、
画像が記録された各種メディアおよび該画像が記録されたメディアを内包する、所定のインターフェースを有するデジタルカメラを含む機器を装填するための複数種類のスロットとを備えたプリント受付装置におけるプリント受付方法であって、
前記複数種類のスロットのうちの前記所定のインターフェースに対応するインターフェースを備えてなる特定のスロットに前記デジタルカメラが装填された場合、所定のプリント条件に従って前記デジタルカメラに内包されたメディアに記録された前記画像のプリント処理を実行するか、該所定のプリント条件とは異なるプリント条件に従って前記デジタルカメラに内包されたメディアに記録された前記画像のプリント処理を実行するかの切り替えを受け付け、
前記特定のスロットに前記デジタルカメラが装填された場合、前記切り替え手段により切り替えられたプリント条件に従って、前記デジタルカメラに内包されたメディアに記録された前記画像のプリント処理を実行し、前記所定のプリント条件による前記プリント処理が実行された場合、該プリント処理の実行後、前記デジタルカメラに内包されたメディアから前記画像を消去し、
前記消去した画像を保存することを特徴とするプリント受付方法。
【請求項９】
プリント注文のための各種表示を行う表示手段と、
前記プリント注文のための各種入力を行う入力手段と、
画像が記録された各種メディアおよび該画像が記録されたメディアを内包する、所定のインターフェースを有するデジタルカメラを含む機器を装填するための複数種類のスロットとを備えたプリント受付装置におけるプリント受付方法であって、
前記複数種類のスロットのうちの前記所定のインターフェースに対応するインターフェースを備えてなる特定のスロットに前記デジタルカメラが装填された場合、所定のプリント条件に従って前記デジタルカメラに内包されたメディアに記録された前記画像のプリント処理を実行するか、該所定のプリント条件とは異なるプリント条件に従って前記デジタルカメラに内包されたメディアに記録された前記画像のプリント処理を実行するかの切り替えを受け付け、
前記特定のスロットに前記デジタルカメラが装填された場合、前記切り替え手段により切り替えられたプリント条件に従って、前記デジタルカメラに内包されたメディアに記録された前記画像のプリント処理を実行し、前記所定のプリント条件による前記プリント処理が実行された場合、該プリント処理の実行後、前記デジタルカメラに内包されたメディアから前記画像を消去し、
前記消去した画像を光学的に記録を行う光学メディアに記録することを特徴とするプリント受付方法。
【請求項１０】
プリント注文のための各種表示を行う表示手段と、
前記プリント注文のための各種入力を行う入力手段と、
画像が記録された各種メディアおよび該画像が記録されたメディアを内包する、所定のインターフェースを有するデジタルカメラを含む機器を装填するための複数種類のスロットとを備えたプリント受付装置におけるプリント受付方法をコンピュータに実行させるためのプログラムであって、
前記複数種類のスロットのうちの前記所定のインターフェースに対応するインターフェースを備えてなる特定のスロットに前記デジタルカメラが装填された場合、所定のプリント条件に従って前記デジタルカメラに内包されたメディアに記録された前記画像のプリント処理を実行するか、該所定のプリント条件とは異なるプリント条件に従って前記デジタルカメラに内包されたメディアに記録された前記画像のプリント処理を実行するかの切り替えを受け付ける手順と、
前記特定のスロットに前記デジタルカメラが装填された場合、前記切り替え手段により切り替えられたプリント条件に従って、前記デジタルカメラに内包されたメディアに記録された前記画像のプリント処理を実行し、前記所定のプリント条件による前記プリント処理が実行された場合、該プリント処理の実行後、前記デジタルカメラに内包されたメディアから前記画像を消去する手順と、
前記消去した画像を保存する手順とをコンピュータに実行させることを特徴とするプログラム。
【請求項１１】
プリント注文のための各種表示を行う表示手段と、
前記プリント注文のための各種入力を行う入力手段と、
画像が記録された各種メディアおよび該画像が記録されたメディアを内包する、所定のインターフェースを有するデジタルカメラを含む機器を装填するための複数種類のスロットとを備えたプリント受付装置におけるプリント受付方法をコンピュータに実行させるためのプログラムであって、
前記複数種類のスロットのうちの前記所定のインターフェースに対応するインターフェースを備えてなる特定のスロットに前記デジタルカメラが装填された場合、所定のプリント条件に従って前記デジタルカメラに内包されたメディアに記録された前記画像のプリント処理を実行するか、該所定のプリント条件とは異なるプリント条件に従って前記デジタルカメラに内包されたメディアに記録された前記画像のプリント処理を実行するかの切り替えを受け付ける手順と、
前記特定のスロットに前記デジタルカメラが装填された場合、前記切り替え手段により切り替えられたプリント条件に従って、前記デジタルカメラに内包されたメディアに記録された前記画像のプリント処理を実行し、前記所定のプリント条件による前記プリント処理が実行された場合、該プリント処理の実行後、前記デジタルカメラに内包されたメディアから前記画像を消去する手順と、
前記消去した画像を光学的に記録を行う光学メディアに記録する手順とをコンピュータに実行させることを特徴とするプログラム。
【発明の詳細な説明】
【技術分野】
【０００１】
本発明は、写真店の店頭等に設置され、メディアやメディアを内包したデジタルカメラ等の機器に記録されている画像のプリント注文を受け付けるプリント受付装置および方法並びにプリント受付方法をコンピュータに実行させるためのプログラムに関するものである。
【背景技術】
【０００２】
従来、デジタルカメラで撮影した画像を家庭にあるホームプリンタを用いてプリントする場合、画像をパソコンに取り込んで、パソコンのプリンタドライバを用いてプリントすることが一般的に行われている。また、パソコンを用いずに、デジタルカメラをプリンタに直接接続してプリントを行う場合もある。さらに、デジタルカメラで撮影した画像をメモリカード等のメディアに記録し、そのメディアに記録された画像をプリンタが読み込んでプリントを行う場合もある。
【０００３】
このように、デジタルカメラで撮影した画像のホームプリンタを用いてのプリントを行うために、デジタルカメラの接続端子に対応する接続端子を載置台に設け、この載置台にデジタルカメラを載置することにより、デジタルカメラに装填されたメディアからの画像の読み出しを行ってプリントを行うプリンタが提案されている（特許文献１参照）。また、カメラ表示部のオン／オフまたはカメラ電源のオン／オフ）を検出し、カメラの状態に応じてプリンタのプリントモードを設定するようにしたシステムも提案されている（特許文献２参照）。
【０００４】
しかしながら、パソコンやプリンタを使用しないユーザは、デジタルカメラにより取得した画像のプリントを家庭で行うことができない。また、パソコンやプリンタを使用していても、プリンタやデジタルカメラの設定をユーザ自身で行う必要があるため、プリント自体を煩わしく思うユーザが多いのが現実である。
【０００５】
このため、写真店に画像が記録されたメディアを持ち込んで、写真店において画像のプリントを行うサービスが提供されている。また、写真店の店員を介することなく、写真店の店頭に特許文献３に記載されたようなプリント受付装置を設け、このプリント受付装置を用いてユーザがプリントを行うことができるようにしたサービスも提供されている。
【先行技術文献】
【特許文献】
【０００６】
【特許文献１】特開２００３−２５９２６０号公報
【特許文献２】特開２００３−２４４５８５号公報
【特許文献３】特表２００２−５０１２５２号公報
【発明の概要】
【発明が解決しようとする課題】
【０００７】
しかしながら、上述したようなプリント受付装置を用いたプリントの注文においても、プリント受付装置の画面を用いて、プリントする画像の選択、プリントサイズおよびプリント枚数等のプリント条件の指定を行う必要がある。このため、プリント受付装置を使い慣れていない人にとってはプリント条件の指定の操作が煩わしく、結局、プリント注文装置を用いたプリントであっても、ホームプリンタを用いてのプリントの操作の煩わしさと大差がないものとなってしまっている。
【０００８】
本発明は、上記事情に鑑みなされたものであり、プリント受付装置を用いてのプリントの注文を簡易に行うことができるようにすることを目的とする。
【課題を解決するための手段】
【０００９】
本発明によるプリント受付装置は、プリント注文のための各種表示を行う表示手段と、
前記プリント注文のための各種入力を行う入力手段と、
画像が記録された各種メディアおよび該画像が記録されたメディアを内包する機器を装填するための複数種類のスロットと、
前記複数種類のスロットのうちの特定のスロットに前記メディアまたは前記機器が装填された場合、所定のプリント条件に従って前記メディアまたは前記機器に内包されたメディアに記録された前記画像のプリント処理を実行するか、該所定のプリント条件とは異なるプリント条件に従って前記メディアまたは前記機器に内包されたメディアに記録された前記画像のプリント処理を実行するかを切り替える切り替え手段と、
前記特定のスロットに前記メディアまたは前記機器が装填された場合、前記切り替え手段により切り替えられたプリント条件に従って、前記メディアまたは前記機器に内包されたメディアに記録された前記画像のプリント処理を実行するプリント制御手段とを備えたことを特徴とするものである。
【００１０】
「メディアを内包する機器」とは、メディアを装填するためのスロットを持たず、内部にメディアが取付けられ、ここに画像を記録する機器を意味する。
【００１１】
「特定のスロット」は、そのスロットにメディアまたは機器を装填した際に、切り替え手段によって切り替えられたプリント条件によるプリント処理が実行されるスロットである。
【００１２】
「所定のプリント条件」とは、あらかじめ定められて変更ができないプリント条件を意味する。具体的には、Ｌサイズで１枚のみプリント出力する等のプリント条件を所定のプリント条件とすることができる。
【００１３】
「プリント処理」とは、画像をプリント出力することおよび画像をプリント出力することが可能な状態とすることの双方を意味する。例えば本発明のプリント受付装置がプリンタを有するものである場合はそのプリンタからプリント出力することであり、本発明のプリント受付装置がプリンタを有さず、外部のプリンタと接続されているものである場合には、画像を外部のプリンタに出力することがプリント処理となる。なお、画質を向上させるための画像処理をプリント処理に含めてもよい。
【００１４】
なお、本発明によるプリント受付装置においては、前記プリント制御手段を、前記所定のプリント条件に従って前記プリント処理の実行の可否を受け付ける画面を前記表示手段に表示し、前記プリント処理を実行する指示が前記入力手段より入力された場合に、前記プリント処理を実行する手段としてもよい。
【００１５】
また、本発明によるプリント受付装置においては、前記機器を所定のインターフェースを有するデジタルカメラとし、前記特定のスロットを前記所定のインターフェースに対応するインターフェースを備えてなるものとしてもよい。
【００１６】
また、本発明によるプリント受付装置においては、前記プリント制御手段を、前記所定のプリント条件による前記プリント処理の実行後、前記デジタルカメラに内包されたメディアから前記画像を消去する手段としてもよい。
【００１７】
この場合、前記プリント制御手段を、前記画像の消去の可否を受け付ける画面を前記表示手段に表示し、前記画像を消去する指示が前記入力手段より入力された場合に、前記画像を消去する手段としてもよい。
【００１８】
また、この場合、前記消去した画像を保存する保存手段をさらに備えるものとしてもよい。
【００１９】
また、本発明によるプリント受付装置においては、前記消去した画像を光学的に記録を行う光学メディアに記録する画像記録手段をさらに備えるようにしてもよい。
【００２０】
この場合、前記画像記録手段を、前記画像の前記光学メディアへの記録の可否を受け付ける画面を前記表示手段に表示し、前記画像を前記光学メディアに記録する指示が前記入力手段より入力された場合に、前記画像を前記光学メディアに記録する手段としてもよい。
【００２１】
またこの場合、前記光学メディアの盤面に光学的に読み取り可能なプリント注文用のマーク部を有するインデックス画像を記録する手段をさらに備えるものとし、
前記複数種類のスロットのうちの一つを前記光学メディア用のスロットとし、
該光学メディア用のスロットに前記インデックス画像のマーク部を読み取る読取手段をさらに備えるものとし、
前記プリント制御手段を、読み取った前記マーク部の情報に従って前記プリント処理を実行する手段としてもよい。
【００２２】
本発明によるプリント受付方法は、プリント注文のための各種表示を行う表示手段と、
前記プリント注文のための各種入力を行う入力手段と、
画像が記録された各種メディアおよび該画像が記録されたメディアを内包する機器を装填するための複数種類のスロットとを備えたプリント受付装置におけるプリント受付方法であって、
前記複数種類のスロットのうちの特定のスロットに前記メディアまたは前記機器が装填された場合、所定のプリント条件に従って前記メディアまたは前記機器に内包されたメディアに記録された前記画像のプリント処理を実行するか、該所定のプリント条件とは異なるプリント条件に従って前記メディアまたは前記機器に内包されたメディアに記録された前記画像のプリント処理を実行するかの切り替えを受け付け、
前記特定のスロットに前記メディアまたは前記機器が装填された場合、前記切り替えられたプリント条件に従って、前記メディアまたは前記機器に内包されたメディアに記録された前記画像のプリント処理を実行することを特徴とするものである。
【００２３】
なお、本発明によるプリント受付方法をコンピュータに実行させるためのプログラムとして提供してもよい。
【発明の効果】
【００２４】
本発明によれば、特定のスロットにメディアまたは機器が装填されると、切り替え手段により切り替えられたプリント条件に従って、メディアまたは機器に内包されたメディアに記録された画像のプリント処理が実行される。このため、ユーザは切り替え手段によりプリント条件を所定のプリント条件に切り替え、特定のスロットにメディアまたは機器を装填すれば、ユーザが所望とするプリント条件によるプリントが得られるため、ユーザは煩わしい操作を行うことなく所定のプリント条件によるプリントを得ることができる。
【００２５】
また、所定のプリント条件に従ってのプリント処理の実行の可否を受け付ける画面を表示手段に表示し、プリント処理を実行する指示が入力手段より入力された場合に、プリント処理を実行することにより、ユーザに所定のプリント条件によるプリント処理の実行の可否を決定させることができるため、所定のプリント条件によるプリント処理を誤って実行してしまうことを防止できる。
【００２６】
また、機器を所定のインターフェースを有するデジタルカメラとし、特定のスロットを所定のインターフェースに対応するインターフェースを備えてなるものとすれば、撮影後のデジタルカメラから直ちに所定のプリント条件に従ったプリントを得ることができる。
【００２７】
また、所定のプリント条件によるプリント処理の実行後、デジタルカメラに内包されたメディアから画像を消去することにより、デジタルカメラを用いての新たな撮影を直ちに行うことが可能となる。
【００２８】
この場合、画像の消去の可否を受け付ける画面を表示手段に表示し、画像を消去する指示が入力手段より入力された場合に画像を消去することにより、ユーザに画像の消去の可否を決定させることができるため、デジタルカメラ内包のメディアから画像を誤って消去してしまうことを防止できる。
【００２９】
また、消去した画像を保存することにより、デジタルカメラ内包のメディアから画像を誤って消去してしまった場合にも、後でその画像を用いてのプリント注文を行うことが可能となる。
【００３０】
また、消去した画像を光学的に記録を行う光学メディアに記録することにより、その光学メディアを用いてのプリント注文を行うことが可能となる。また、光学メディアに記録された画像をパソコンを用いて閲覧したり、加工したりすることも可能となる。
【００３１】
この場合、画像の光学メディアへの記録の可否を受け付ける画面を表示手段に表示し、画像を光学メディアに記録する指示が入力手段より入力された場合に画像を光学メディアに記録することにより、ユーザに消去する画像の光学メディアへの記録の可否を決定させることができるため、とくに光学メディアが有料の場合に、誤って光学メディアに画像を記録してしまってユーザに料金の支払いをさせてしまうことを防止できる。
【００３２】
また、光学メディアの盤面に光学的に読み取り可能なプリント注文用のマーク部を有するインデックス画像を記録するようにし、複数種類のスロットのうちの一つを光学メディア用のスロットとし、この光学メディア用のスロットにおいてインデックス画像のマーク部を読み取ることにより、ユーザは光学メディアをスロットに装填するのみで、画像のプリント注文を行うことができることとなる。
【図面の簡単な説明】
【００３３】
【図１】本発明の実施形態によるプリント受付装置を示す図
【図２】本実施形態によるプリント受付装置の信号処理系のブロック図
【図３】切り替えスイッチを説明するための図
【図４】プリント実行画面を示す図
【図５】プリント選択画面を示す図
【図６】メディアを内包するデジタルカメラの背面側斜視図（その１）
【図７】メディアを内包するデジタルカメラの背面側斜視図（その２）
【図８】図５のＡ方向矢視図
【図９】本実施形態において行われる処理を示すフローチャート
【図１０】消去選択画面を示す図
【図１１】ＣＤ選択画面を示す図
【図１２】本実施形態において画像が書き込まれたＣＤの盤面を示す図
【図１３】インデックス画像の詳細を示す図
【図１４】インデックスシート用のスロットを設けたプリント受付装置を示す図
【発明を実施するための形態】
【００３４】
以下、図面を参照して本発明の実施形態について説明する。図１は本発明の実施形態によるプリント受付装置を示す図である。図１に示すように、本実施形態によるプリント受付装置１は、プリント注文のための各種表示を行うとともに、各種入力を受け付けるタッチパネル式のモニタ２と、各種メディアおよび画像が記録されたメディアを内包するデジタルカメラを装填するための複数のスロット３Ａ〜３Ｆとを備え、画像をプリント出力するプリンタ５および画像をＣＤに書き込むＣＤドライブ６と接続されている。なお、スロット３Ａには、後述するようにプリント条件を切り替えるための切り替えスイッチ４が設けられている。なお、図１においては、プリンタ５およびＣＤドライブ６はプリント受付装置１に直接接続されているが、プリンタ５およびＣＤドライブ６がプリント受付装置１とは別の場所にあって、ネットワークや別の手段等によりプリンタ５およびＣＤドライブ６がプリント受付装置１と接続されていてもよい。
【００３５】
図２は本実施形態によるプリント受付装置１の信号処理系のブロック図である。図２に示すように、本実施形態によるプリント受付装置１は、プリント受付装置１の動作を制御するためのＣＰＵ１１と、ＣＰＵ１１が実行するプログラムを格納するＲＯＭおよび作業領域となるＲＡＭからなるシステムメモリ１２と、後述するようにメディアから読み出した画像を保存するハードディスク等の保存部１３とを備える。なお、保存部１３に保存された画像は、保存から一定期間経過後に保存部１３から消去される。
【００３６】
また、上述したモニタ２と、モニタ２を介しての各種入力を行うためのタッチパネル１４と、タッチパネル１４を制御するタッチパネル制御部１５と、スロット３Ａ〜３Ｆのそれぞれに対応したインターフェース１６Ａ〜１６Ｆと、プリンタ５およびＣＤドライブ６を接続するためのコネクタ１７と、コネクタ１７に接続した出力インターフェース１８とを備える。
【００３７】
また、メディア等から読み出した画像に対して、階調処理、シャープネス処理等の画像処理を施す画像処理部１９を備える。
【００３８】
ここで、スロット３ＦはＣＤ用のスロットであり、後述するようにＣＤの盤面にプリントされたインデックス画像のマーク部を読み取るための読取部２０が設けられている。
【００３９】
また、スロット３Ａは、メディアを内包するデジタルカメラ用のスロットであり、その入り口部分にユーザによるプリント条件の切り替えを受け付けるための切り替えスイッチ４が設けられている。
【００４０】
図３はスロット３Ａに設けられた切り替えスイッチ４の詳細を説明するための図である。図３（ａ）に示すように切り替えスイッチ４は、スロット３Ａを覆うことが可能な矩形の平板形状をなしており、スロット３Ａに対応する位置に開口部４Ａが形成されている。また、その上縁部近傍には左右に延びる軸４Ｂが貫通しており、さらに軸４Ｂの両端部が軸受４Ｃにより回動自在に指示されている。これにより、切り替えスイッチ４を軸４Ｂを中心として回動させることにより、図３（ａ）に示す第１の位置から、図３（ｂ）に示す第２の位置に切り替わる。
【００４１】
ここで、切り替えスイッチ４における開口部４Ａの下方には、「通常プリント」の文字が付与されており、切り替えスイッチ４が第１の位置にあるときにプリント受付装置１における切り替えスイッチ４により隠されている部分には、「簡単プリント」の文字が付与されている。したがって、切り替えスイッチ４が図３（ａ）に示す第１の位置にあるときには、切り替えスイッチ４の「通常プリント」の文字が見え、切り替えスイッチ４が図３（ｂ）に示す第２の位置に回動されると、切り替えスイッチ４により隠されていた「簡単プリント」の文字が見えるようになる。
【００４２】
そして、ユーザが切り替えスイッチ４が第１の位置にある状態で、デジタルカメラをスロット３Ａに装填すると、デジタルカメラ３０に内包のメディアに記録された画像について通常のプリント処理が行われる。ここで、通常のプリント処理とは、メディアに記録された画像の一覧をモニタ２に表示し、そこでユーザにプリントする画像の指定をさせ、さらに指定された画像のプリントサイズおよびプリント枚数を指定させ、指定された画像を画像処理部１９において画像処理した後に、指定されたプリントサイズおよびプリント枚数にてプリント出力する処理である。
【００４３】
また、ユーザが切り替えスイッチ４を第２の位置に切り替えて、デジタルカメラをスロット３Ａに装填すると、デジタルカメラ３０に内包のメディアに記録された画像について、ユーザにプリントする画像、プリントサイズおよびプリント枚数の指定をさせることなく、あらかじめ定められたプリント条件（以下、簡単プリント条件とする）により、デジタルカメラのメディアに記録されたすべての画像のプリント処理を行う。
【００４４】
ここで、簡単プリント条件よるプリント処理を行う場合、モニタ２に図４に示すように、「簡単プリントを実行します。よろしいですか？」のメッセージと、ＹＥＳおよびＮＯボタンとを含むプリント実行画面４８を表示し、ＹＥＳボタンが選択された場合に、簡単プリント条件によるプリント処理を行うようにしてもよい。
【００４５】
なお、プリント処理は画像処理部１９において画像に画像処理を施した後にプリンタ５に画像を出力する処理であるが、プリンタを備えたプリント受付装置である場合、プリント処理は自身のプリンタから画像をプリント出力する処理となる。
【００４６】
一方、デジタルカメラの種類によっては、デジタルカメラにおいて撮影により取得した画像を配置したアルバムを作成可能なものがある。このため、図５に示すように、スロット３Ａにデジタルカメラが装填された場合に、デジタルカメラ内包のメディアに記録されたすべての画像のＬサイズプリントを行うプリント条件と、デジタルカメラにおいて作成したアルバムの２Ｌサイズでのプリント（アルバムプリント）を行うプリント条件とを選択させるプリント選択画面４９を表示し、選択されたプリント条件にてプリント処理を行うようにしてもよい。
【００４７】
なお、切り替えスイッチ４が第１の位置にあるときにスロット３Ａにデジタルカメラが装填された場合、およびスロット３Ａ以外のスロット３Ｂ〜３Ｆにメディアが装填された場合には、通常のプリント処理が行われる。
【００４８】
図６および図７はメディアを内包するデジタルカメラの背面側斜視図、図８は図６のＡ方向矢視図である。である。図６および図７に示すようにこのデジタルカメラ３０は、撮影された画像等の各種表示を行うモニタ３１と、電源のオン・オフを行う電源スイッチ３２と、レリーズボタン３３と、デジタルカメラ３０のモードを撮影モードおよび再生モードに切り替えるモード切替スイッチ３４とを備える。
【００４９】
ここで、モード切替スイッチ３４が撮影モードに切り替えられている場合、図６に示すようにデジタルカメラ３０の背面には、ズームを行うためのズームボタン３５と、ストロボをオン・オフするためのストロボボタン３６と、マクロ撮影を行うためのマクロボタン３７とが現れる。ユーザはこれらのボタンを適宜操作して撮影を行い、撮影により取得した画像をデジタルカメラ３０に内包されたメディアに記録することができる。
【００５０】
一方、モード切替スイッチ３４が再生モードに切り替えられている場合、図７に示すように、デジタルカメラ３０の背面には、再生する画像をコマ送りするためのコマ送りボタン３８と、再生中の画像を消去するための消去ボタン３９と、再生中の画像のプリント予約を行うためのプリント予約ボタン４０とが現れる。ユーザはこれらのボタンを適宜操作してメディアに記録された画像を再生することができる。
【００５１】
さらに、デジタルカメラ３０の背面から見た左側面には、スロット３Ａに装填された際にインターフェース１６Ａと接続するインターフェース４２が設けられている。
【００５２】
そしてＣＰＵ１１がシステムメモリ１２に記録されたプログラムを実行することにより、プリント制御手段として機能する。
【００５３】
次いで、本実施形態において行われる処理について説明する。図９は本実施形態において行われる処理を示すフローチャートである。ユーザがメディアまたはデジタルカメラ３０をスロット３Ａ〜３Ｆのいずれかに装填することによりＣＰＵ１１が処理を開始し、まず、デジタルカメラ３０がスロット３Ａに装填されたか否かを判定する（ステップＳＴ１）。ステップＳＴ１が肯定されると、さらに切り替えスイッチ４が第２の位置にあるか否かを判定する（ステップＳＴ２）。ステップＳＴ１およびステップＳＴ２が否定されると通常のプリント処理を行う（ステップＳＴ３）。
【００５４】
ステップＳＴ２が肯定されると、簡単プリント条件によるプリント処理を行う（ステップＳＴ４）。
【００５５】
簡単プリント条件によるプリント処理が終了すると、デジタルカメラ３０のメディアに記録された画像を消去するか否かをユーザに選択させる消去選択画面をモニタ２に表示する（ステップＳＴ５）。図１０は消去選択画面を示す図である。図１０に示すように消去選択画面５０には、「画像を消去しますか？」のメッセージと、ＹＥＳボタンおよびＮＯボタンとが表示されている。ユーザがＹＥＳボタンを選択すると、消去した画像をＣＤに書き込むか否かをユーザに選択させるＣＤ選択画面をモニタ２に表示する（ステップＳＴ６）。
【００５６】
図１１はＣＤ選択画面を示す図である。図１１に示すようにＣＤ選択画面５１には、「画像をＣＤに書き込みますか？」のメッセージと、ＹＥＳボタンおよびＮＯボタンとが表示されている。なお、ＣＤ選択画面５１に、ＣＤ書き込みが有料であるか無料であるかをユーザに知らせるための情報、および有料である場合は料金の情報等、ＣＤ書き込みに関連する各種情報を表示するようにしてもよい。そして、ユーザがＹＥＳボタンを選択すると、デジタルカメラ３０のメディアに記録された画像をＣＤドライブ６に送信してＣＤに書き込み（ステップＳＴ７）、メディアに記録された画像を保存部６に保存し（ステップＳＴ８）、さらにメディアに記録された画像を消去し（ステップＳＴ９）、処理を終了する。なお、画像が記録されたＣＤの盤面にはＣＤに記録された画像のサムネイル画像の一覧からなるインデックス画像が、プリンタ５により記録される。
【００５７】
一方、ＣＤ選択画面５１においてユーザがＮＯボタンを選択した場合には、画像をＣＤに書き込むことなくステップＳＴ８に進み、ステップＳＴ８以降の処理を行う。また、消去選択画面５０においてユーザがＮＯボタンを選択した場合には、処理を終了する。
【００５８】
図１２は本実施形態において画像が書き込まれたＣＤの盤面を示す図である。図１２に示すように、本実施形態において画像が書き込まれたＣＤ５５の盤面５６には、ＣＤ５５に書き込まれた画像のサムネイル画像の一覧からなるインデックス画像５７が記録されている。
【００５９】
図１３はインデックス画像５７の詳細を示す図である。図１３に示すようにインデックス画像５７は複数のサムネイル画像が配置されてなり、個々のサムネイル画像の下方には、どの画像のプリントをユーザが必要としているかを鉛筆等で塗りつぶすことで入力することができるマーク部５８が付与されている。なお、マーク部５８には４つのマーク箇所があり、塗りつぶすマークの数によりプリント枚数を指定できるようになっている。
【００６０】
なお、サムネイル画像の配置は図１３に示すものに限定されるものではなく、ＣＤ面を有効に使えるものであればどのような配置でもよい。またマーク箇所も４つに限定されるものではなく、必要に応じた数とすればよいものである。
【００６１】
ユーザは、ＣＤ５５に画像を書き込んだ場合には、盤面５６に記録されたインデックス画像５７において、プリントを所望する画像に対応するマーク部５８を、所望とするプリント枚数分鉛筆等で塗りつぶす。そして、これをプリント受付装置１のＣＤ用のスロット３Ｆに装填すると、読取部２０がインデックス画像５７のマーク部５８を読み取る。そしてＣＰＵ１１は読み取ったマーク部５８の情報であるマークの位置およびマークの数に従って、いずれの画像を何枚プリントするかを判断し、プリントする画像をＣＤ５５から読み出してプリンタ５からプリント出力する。
【００６２】
このように、本実施形態によれば、デジタルカメラ用のスロット３Ａにデジタルカメラ３０が装填されると、ユーザが切り替えスイッチ４を用いることにより切り替えられたプリント条件に従って、デジタルカメラ３０に内包されたメディアに記録された画像のプリントを行うようにしたため、ユーザは切り替えスイッチ４を第２の位置に切り替えてデジタルカメラ３０をスロット３Ａに装填しさえすれば、簡単プリント条件によるプリントが得られることとなる。したがって、ユーザは煩わしい操作を行うことなく簡単プリント条件によるプリントを得ることができる。
【００６３】
また、図４に示すように、簡単プリント条件に従ってのプリント処理の実行の可否を受け付けるプリント実行画面４８をモニタ２に表示し、ＹＥＳボタンが選択された場合に、簡単プリント条件に従ってのプリント処理を実行することにより、ユーザに簡単プリント条件によるプリント処理の実行の可否を決定させることができるため、簡単プリント条件によりプリント処理を誤って実行してしまうことを防止できる。
【００６４】
また、プリント処理の実行後、デジタルカメラ３０に内包されたメディアから画像を消去することにより、デジタルカメラ３０を用いての新たな撮影を直ちに行うことが可能となる。
【００６５】
この場合、図１０に示すように画像の消去の可否を受け付ける消去選択画面５０をモニタ２に表示し、ＹＥＳボタンが選択された場合に画像を消去することにより、ユーザに画像の消去の可否を決定させることができるため、デジタルカメラ３０に内包のメディアから画像を誤って消去してしまうことを防止できる。
【００６６】
また、消去した画像を保存部１３に保存することにより、デジタルカメラ３０に内包のメディアから画像を誤って消去してしまった場合にも、後でその画像を用いてのプリント注文を行うことが可能となる。なお、この場合、保存部１３の容量を考慮して画像の保存期間を決めておき、画像をＣＤに記録しなかったユーザに画像の保存期間を通知するようにしてもよい。なお、通知はその旨を印刷したシートをユーザに渡すようにしてもよく、消去選択画面５０に表示するようにしてもよい。
【００６７】
また、消去した画像をＣＤ５５に記録することにより、そのＣＤ５５を用いてのプリント注文を行うことが可能となる。また、ＣＤ５５に記録された画像をパソコンを用いて閲覧したり、加工したりすることも可能となる。
【００６８】
この場合、図１１に示すように、画像のＣＤ５５への記録の可否を受け付けるＣＤ選択画面５１をモニタ２に表示し、ＹＥＳボタンが選択された場合に画像をＣＤ５５に記録することにより、ユーザに消去する画像のＣＤ５５への記録の可否を決定させることができるため、とくにＣＤ５５が有料の場合に、誤ってＣＤ５５に画像を記録してしまってユーザに料金の支払いをさせてしまうことを防止できる。
【００６９】
また、ＣＤ５５の盤面５６に光学的に読み取り可能なプリント注文用のマーク部５８を有するインデックス画像５７を記録するようにし、ＣＤ用のスロット３Ｆにおいてインデックス画像５７のマーク部５８を読み取ることにより、ユーザはＣＤ５５をスロット３Ｆに装填するのみで、ＣＤ５５に記録された画像のプリント注文を行うことができることとなる。
【００７０】
なお、上記実施形態においては、デジタルカメラ３０に内包のメディアから消去した画像をＣＤに記録するようにしているが、ＤＶＤに記録してもよい。
【００７１】
また、上記実施形態においては、ＣＤ５５の盤面５６にインデックス画像５７をプリントしているが、インデックス画像５７のみを別の用紙にプリントしてインデックスシートを作成し、このインデックスシートのマーク部によりプリント注文を行うようにしてもよい。この場合、図１４に示すように、プリント受付装置１には、インデックスシートから情報を読み取るために、インデックスシート用のスロット３Ｇが設けられ、図１に示すプリント受付装置１においてスロット３Ｆに設けられていた読取部２０は、スロット３Ｇに設けられることとなる。
【００７２】
なお、このインデックス画像５７を表す画像データ（インデックスデータとする）の保存先を表すリンク情報を記載したバーコードやＱＲコード等をＣＤ５５の盤面に印刷しておき、必要なときに写真店においてバーコードやＱＲコード等を読み取ってインデックスデータの保存先にアクセスしてインデックスデータを取得し、取得したインデックスデータをプリント出力してインデックスシートをユーザが受け取れるようにしてもよい。また、ＣＤ５５をプリント受付装置１に装填したときに、プリンタ５からインデックスシートをプリント出力できるようにしてもよい。これにより誤って不要なインデックスシートをプリント出力してしまうことを防止できる。
【００７３】
また、上記実施形態においては、プリント出力する画像に画像処理を施しているが、デジタルカメラの機種に応じた画像処理のパラメータを画像処理部１９に記憶しておき、スロット３Ａにデジタルカメラ３０が装填された際に、デジタルカメラ３０の機種情報を取得するようにし、取得した機種情報に基づいて装填されたデジタルカメラ３０に応じた画像処理パラメータにより画像処理を施すようにしてもよい。
【００７４】
また、上記実施形態においては、図３に示すように第１および第２の位置の間を回動させることによりプリント条件を切り替える切り替えスイッチ４を設けているが、押下した状態と押下していない状態とでプリント条件を切り替える押しボタン式の切り替えスイッチ等、プリント条件を切り替えることができれば、どのような態様の切り替えスイッチをも用いることができるものである。
【００７５】
また、上記実施形態においては、スロット３Ａにのみプリント条件を切り替える切り替えスイッチ４を設けているが、他のスロットにも切り替えスイッチを設けてもよいことはもちろんである。
【符号の説明】
【００７６】
１    プリント受付装置
２    モニタ
３Ａ〜３Ｇ    スロット
４    切り替えスイッチ
５    プリンタ
６    ＣＤドライブ
１１    ＣＰＵ
１２    システムメモリ
１３    保存部
１４    タッチパネル
１６Ａ〜１６Ｆ    インターフェース
２０    読取部
３０    デジタルカメラ
４８    プリント実行画面
４９    プリント選択画面
５０    消去選択画面
５１    ＣＤ選択画面
５５    ＣＤ
５６    盤面
５７    インデックス画像
５８    マーク部
【図１】
2010228457.tif 000003
【図２】
2010228457.tif 000004
【図３】
2010228457.tif 000005
【図４】
2010228457.tif 000006
【図５】
2010228457.tif 000007
【図６】
2010228457.tif 000008
【図７】
2010228457.tif 000009
【図８】
2010228457.tif 000010
【図９】
2010228457.tif 000011
【図１０】
2010228457.tif 000012
【図１１】
2010228457.tif 000013
【図１２】
2010228457.tif 000014
【図１３】
2010228457.tif 000015
【図１４】
2010228457.tif 000016